(57)【特許請求の範囲】
【請求項１】
互いに連なる外壁で枠状に形成された箱本体と、前記箱本体の上下方向に複数段で取り付けられるとともに電気部品が装着される電気部品ブロックと、前記箱本体に取り付けられるとともに電源からの電力を分配する電源分配ブロックと、を備えた電気接続箱において、
上段の電気部品ブロックには、前記上段の電気部品ブロックの上面に電気部品が装着される装着部が設けられているとともに、前記上段の電気部品ブロックの下面に電線が接続される電線接続部が設けられ、
前記電線の端末には、コネクタが設けられ、かつ、
前記上段の電気部品ブロックの直下の電気部品ブロックの上面には、電気部品が装着される装着部と、前記コネクタが接続されるコネクタ接続部と、が設けられていることを特徴とする電気接続箱。
【請求項２】
前記箱本体には、前記外壁が上方に延長されて形成された延長壁が設けられ、かつ、
前記延長壁には、前記上段の電気部品ブロックが取り付けられる取付部が設けられていることを特徴とする請求項１に記載の電気接続箱。
【請求項３】
前記取付部が、前記上段の電気部品ブロックを案内する案内部と、前記上段の電気部品ブロックと係合する係合部と、を備えていることを特徴とする請求項２に記載の電気接続箱。
【請求項４】
前記コネクタ接続部が、前記上段の電気部品ブロックに重ならない位置に設けられていることを特徴とする請求項１ないし請求項３のいずれか一項に記載の電気接続箱。
【発明の詳細な説明】
【技術分野】
【０００１】
本発明は、自動車のエンジンルームなどに取り付けられる電気接続箱に関する。
【背景技術】
【０００２】
自動車には多種多様な電子機器が搭載されている。これら多種多様な電子機器に電力を供給するために、自動車には、バッテリ等の電源と前記電子機器との間の適宜箇所に、ヒューズやリレー等の電気部品が集約されて構成された電気接続箱が設置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して電気接続箱と呼ぶ。
【０００４】
電気接続箱は、箱本体と、前記箱本体に取り付けられるとともに電気部品が装着される電気部品ブロックと、前記箱本体に取り付けられるとともに電源の電力を分配する電源分配ブロックと、を備えている。
【０００５】
このような電気接続箱は、エンジンやオルタネータやバッテリなどの各種の機器が搭載されたエンジンルーム等に取り付けられる。このため、エンジンルーム等の水平方向のスペースが限られており、この限られたスペースに搭載できる電気接続箱が要求されている。
【０００６】
上記要求から、垂直投影面積を小型化する電気接続箱が提案されている（例えば、特許文献１参照。）。特許文献１に示された電気接続箱は、電気部品が装着される電気部品ブロックと、電源からの電力を分配する電源分配ブロックと、前記電気部品ブロックが上下方向に二段で取り付けられるとともに前記電源分配ブロックが取り付けられる箱本体と、を備えており、前記電気部品ブロックが上下方向（垂直方向）に二段で取り付けられているため、水平方向の寸法が抑えられる。
【先行技術文献】
【特許文献】
【０００７】
【特許文献１】特開２０１１−１０５１４号公報
【発明の概要】
【発明が解決しようとする課題】
【０００８】
しかしながら、前述した特許文献１に示された従来の電気接続箱は、互いに電線で接続された上段の電気部品ブロックと下段の電気部品ブロックとをほぼ同時に箱本体に組み付けるため、組み付け作業の作業性が良くないという問題があった。
【０００９】
また、上段の電気部品ブロックへの電線を下側から上側に引き回すための電線通路が必要なため、箱本体の構造が複雑となるという問題があった。
【００１０】
本発明は、かかる問題を解決することを目的としている。即ち、本発明は、電気部品ブロックを箱本体に組み付ける作業の作業性が良好であり、前記箱本体の構造が単純となる小型の電気接続箱を提供することを目的とする。
【課題を解決するための手段】
【００１１】
前記課題を解決し目的を達成するために、請求項１に記載された発明は、互いに連なる外壁で枠状に形成された箱本体と、前記箱本体の上下方向に複数段で取り付けられるとともに電気部品が装着される電気部品ブロックと、前記箱本体に取り付けられるとともに電源からの電力を分配する電源分配ブロックと、を備えた電気接続箱において、上段の電気部品ブロックには、前記上段の電気部品ブロックの上面に電気部品が装着される装着部が設けられているとともに、前記上段の電気部品ブロックの下面に電線が接続される電線接続部が設けられ、前記電線の端末には、コネクタが設けられ、かつ、前記上段の電気部品ブロックの直下の電気部品ブロックの上面には、電気部品が装着される装着部と、前記コネクタが接続されるコネクタ接続部と、が設けられていることを特徴とする電気接続箱である。
【００１２】
請求項２に記載された発明は、前記箱本体には、前記外壁が上方に延長されて形成された延長壁が設けられ、かつ、前記延長壁には、前記上段の電気部品ブロックが取り付けられる取付部が設けられていることを特徴とする請求項１に記載の電気接続箱である。
【００１３】
請求項３に記載された発明は、前記取付部が、前記上段の電気部品ブロックを案内する案内部と、前記上段の電気部品ブロックと係合する係合部と、を備えていることを特徴とする請求項２に記載の電気接続箱である。
【００１４】
請求項４に記載された発明は、前記コネクタ接続部が、前記上段の電気部品ブロックに重ならない位置に設けられていることを特徴とする請求項１ないし請求項３のいずれか一項に記載の電気接続箱である。
【発明の効果】
【００１５】
請求項１に記載された発明によれば、電気接続箱は、上段の電気部品ブロックの下面に、端末にコネクタが設けられた電線を接続する電線接続部を設けるとともに、前記上段の電気部品ブロックの直下の電気部品ブロックの上面に、前記コネクタが接続されるコネクタ接続部を設けたため、前記直下の電気部品ブロックを箱本体に組み付けた後に、前記上段の電気部品ブロックの前記コネクタを前記コネクタ接続部に接続して組み付けることができる。このため、電気部品ブロックを箱本体に組み付ける組み付け作業の作業性が良好となる。
【００１６】
また、電気接続箱は、上段の電気部品ブロックの下面に、端末にコネクタが設けられた電線を接続する電線接続部を設けるとともに、前記上段の電気部品ブロックの直下の電気部品ブロックの上面に、前記コネクタが接続されるコネクタ接続部を設けたため、上段の電気部品ブロックの電線のコネクタを直下の電気部品ブロックのコネクタ接続部に接続するだけで、電線の接続が完了する。このため、電線を引き回すための電線通路が不要となり、箱本体の構造を単純化することができる。
【００１７】
請求項２に記載された発明によれば、電気接続箱は、箱本体の外壁を上方に延長して延長壁を設け、該延長壁に、上段の電気部品ブロックが取り付けられる取付部を設けたため、上段の電気部品ブロックが取り付けられる延長壁を小型化できる。このため、電気接続箱をより小型化することができる。
【００１８】
請求項３に記載された発明によれば、電気接続箱は、上段の電気部品ブロックが案内される案内部と該上段の電気部品ブロックが係合される係合部とを、取付部が備えているため、上段の電気部品ブロックを取付部に取り付ける際に、前記上段の電気部品ブロックが円滑に取付部に取り付けられるとともに、前記取付部に前記上段の電気部品ブロックが係合されて固定される。このため、上段の電気部品ブロックの取り付けを簡単な操作で容易に行うことができる。
【００１９】
請求項４に記載された発明によれば、電気接続箱は、上段の電気部品ブロックに重ならない位置にコネクタ接続部を設けたため、コネクタ接続部へのアクセスが容易となる。このため、コネクタをコネクタ接続部に接続する作業の作業性が向上する。
【００２０】
また、電気接続箱は、前記コネクタ接続部が、前記上段の電気部品ブロックに重ならない位置に設けているため、上段の電気部品ブロックと直下の電気部品ブロックとにコネクタが挟まれて電線が屈曲することを防止できる。
【図面の簡単な説明】
【００２１】
【図１】本発明の一実施形態にかかる電気接続箱の分解図である。
【図２】電気接続箱の箱本体の構成を説明するための平面図である。
【図３】箱本体に上段の電気部品ブロックを組み付ける状態を示す斜視図である。
【発明を実施するための形態】
【００２２】
以下、本発明の実施形態について、図１ないし図３を参照して説明する。
【００２３】
本発明の一実施形態にかかる電気接続箱１は、図１に示すように、箱本体２と、前記箱本体２の上面に取り付けられるアッパカバー４と、前記箱本体２の側面に取り付けられるサイドカバー５と、前記箱本体２の下面に取り付けられるロアカバー６と、を備えている。
【００２４】
なお、図１ないし図３中の矢印Ｘは、水平方向と平行な方向を示しているとともに箱本体２の短手方向を示しており、矢印Ｙは、水平方向と平行な方向を示しているとともに箱本体２の長手方向を示しており、矢印Ｚは、垂直方向と平行な方向を示しているとともに箱本体２の上下方向を示している。また、矢印Ｚ方向の紙面方向における上側を「上」と表現し、矢印Ｚ方向の紙面方向における下側を「下」と表現する。
【００２５】
箱本体２は、枠状に形成された本体部３と、バッテリなどの電源の電力を分配する電源分配ブロック１０と、上段の電気部品ブロック８と、前記上段の電気部品ブロック８の直下の電気部品ブロック１２と、を備えている。箱本体２には、前記上段の電気部品ブロック８と前記直下の電気部品ブロック１２とが上下方向Ｚに二段で取り付けられている。
【００２６】
本体部３は、絶縁性の樹脂で形成され、周知の射出成形によって形成されている。本体部３は、互いに連なる外壁で枠状に形成されている。本体部３は、前記電源分配ブロック１０の図示しない取付部と、前記外壁が上方に延長されて形成され且つ前記上段の電気部品ブロック８が取り付けられる延長壁４４（図３に示す）と、前記アッパカバー４に係合される係合部６３と、前記サイドカバー５に係合される係合突起６２と、前記ロアカバー６に係合される係合部６１と、を備えている。
【００２７】
取付部は、前記本体部３の外壁の内周面に設けられ、前記電源分配ブロック１０に設けられた図示しない係合部と係合して固定されるように形成されている。
【００２８】
延長壁４４は、図３に示すように、前記本体部３の隅部の上端に設けられており、前記直下の電気部品ブロック１２の外形に沿って長方形状に形成された外壁が、該外壁の上端から前記上段の電気部品ブロック８の連なる二つの側面に沿って、上方に延長されて断面略Ｌ字状に形成されている。このため、延長壁４４が、前記本体部３に対して大幅に小型化される。延長壁４４には、前記上段の電気部品ブロック８の取付部４５が設けられている。
【００２９】
取付部４５は、前記延長壁４４の長手方向Ｙに平行する内壁面と、前記延長壁４４の短手方向Ｘに平行する内壁面とに、それぞれ設けられている。前記延長壁４４の長手方向Ｙに平行する内壁面には、等間隔で複数個（図示例では、２つ）の取付部４５が設けられている。前記延長壁４４の短手方向Ｘに平行する内壁面には、一つの取付部４５が設けられている。取付部４５は、上下方向Ｚに平行する一対の案内部４６と、前記一対の案内部４６内に設けられた係合部４７と、を備えている。
【００３０】
一対の案内部４６は、前記延長壁４４の内壁面から突出され、上下方向Ｚに平行に延長され、かつ、先端部が互いに対向する方向に屈曲されて形成されている。このため、延長壁４４の取付部４５に上段の電気部品ブロック８を、スライド操作で簡単に取り付けることができる。
【００３１】
係合部４７は、前記延長壁４４の内壁面から突出され、上下方向Ｚの上に向かって次第に突出量が減少する断面略三角形状に形成されている。このため、取付部４５に取り付けられた上段の電気部品ブロック８を、確実に延長壁４４に固定することができる。
【００３２】
電源分配ブロック１０は、図１および図２に示すように、ブロック本体部１１と、図示しない電源ケーブルの端末の端子が取り付けられる電源入力端子６５と、前記電源入力端子６５から入力された電力を分配するバスバと、を備えている。
【００３３】
ブロック本体部１１は、絶縁性の樹脂で形成され、周知の射出成形によって形成されている。ブロック本体部１１は、電気部品としてのヒューズやリレーが搭載される搭載部６７と、前記ブロック本体部１１の下面に設けられ且つ図示しない電線やワイヤハーネスが接続される電気接続部と、前記本体部３の取付部と係合される係合部と、を備えている。
【００３４】
搭載部６７は、搭載される電気部品が嵌入されて収容されるように、電気部品それぞれの外形に沿った複数の凹状部が形成されている。搭載部６７には、前記バスバの端子状に形成された電気接触部が設けられている。
【００３５】
電気接続部は、前記ブロック本体部１１の下面に設けられている。電気接続部は、自動車等の車両に搭載された多種多様な電子機器に電力を供給するワイヤハーネスの端末に設けられたコネクタ、前記直下の電気部品ブロック１２に接続される電線の端末に設けられた端子金具、および、前記直下の電気部品ブロック１２の後述するコネクタ接続部４１（図３に示す）に接続される電線の端末に設けられた端子金具、が嵌合されて、前記バスバに電気的に接続されるように形成されている。電気接続部には、前記バスバの端子状に形成された電気接触部が設けられている。
【００３６】
電源入力端子６５は、バッテリ等の電源ケーブルの端末に設けられた平ワッシャ状の端子に挿通するボルト端子と、前記ボルト端子と螺合して前記端子を固定するナットと、を備えている。電源入力端子６５は、前記バスバに電気的に接続されている。
【００３７】
バスバは、導電性の板金で形成されている。バスバは、前記電源入力端子６５に電気的に接続されている。バスバは、前記電源入力端子６５から入力された電力を前記搭載部６７および前記電気接続部に、予め定められたパターンにしたがって電力を分配する形状に形成されている。バスバは、周知の打ち抜き加工およびプレス加工によって形成されている。
【００３８】
上段の電気部品ブロック８は、図３に示すように、電気部品としてのリレー１８が装着される装着部３２と、前記装着部３２に装着される電気部品としてのリレー１８と、電線３４の端末に設けられた端子金具が嵌入される電気接続部３３と、前記取付部４５の一対の案内部４６にスライド可能に形成された図示しない摺動部と、前記一対の案内部４６内に設けられた係合部４７と係合する図示しない係合凹部と、を備えている。上段の電気部品ブロック８は、絶縁性の樹脂で形成され、周知の射出成形によって形成されている。
【００３９】
装着部３２は、前記上段の電気部品ブロック８の上面に設けられている。装着部３２は、装着されるリレー１８の端子部が嵌入される嵌入穴が設けられている。嵌入穴には、電気接続部３３に嵌入された前記電線３４の端末の端子金具が配される。
【００４０】
リレー１８は、前記装着部３２の長手方向Ｙに等間隔をあけて二列で設けられている。リレー１８は、互いに放熱できる間隔をあけて設けられている。
【００４１】
電気接続部３３は、前記上段の電気部品ブロック８の下面に設けられている。電気接続部３３は、前記電線３４の端末に設けられた端子金具が嵌入可能に形成されている。このため、電気接続部３３に嵌入された端子金具が、前記装着部３２に装着されたリレー１８の端子部と電気的に接続される。
【００４２】
電線３４は、導電性の芯線と、絶縁性の被覆部とを備えている。芯線は、複数本の導線が撚られて形成されている。導線は、導電性の金属で形成されている。被覆部は、前記芯線を被覆しており、絶縁性の樹脂で形成されている。なお、芯線は、一本の導線から構成されても良い。
【００４３】
電線３４の一方の端末には、前記上段の電気部品ブロック８の電線接続部３３に嵌入される端子金具が設けられている。電線３４の他方の端末には、直下の電気部品ブロック１２の後述するコネクタ接続部４１に接続可能に形成されたコネクタ３６が設けられている。
【００４４】
コネクタ３６は、所謂雄型コネクタとされている。コネクタ３６は、前記電線３４の芯線を加締める加締め片と、前記コネクタ接続部４１の端子金具と嵌合する嵌合部と、が設けられた所謂雌型端子金具を備えている。
【００４５】
摺動部は、前記取付部４５の一対の案内部４６にスライド可能に形成されている。摺動部は、前記上段の電気部品ブロック８の側面から突出され、上下方向Ｚに平行して延長され、先端部が互いに離れる方向に屈曲されて形成されている。
【００４６】
係合凹部は、前記一対の案内部４６と係合可能に形成されている。係合凹部は、前記上段の電気部品ブロック８の側面に、略四角形状の穴を設けて形成されている。
【００４７】
直下の電気部品ブロック１２は、前記箱本体３と一体的に形成されている。直下の電気部品ブロック１２は、電気部品としてのリレーが複数個設けられたリレーユニット７と、電気部品としてのリレー１６，１７と、前記リレーユニット７および前記リレー１６，１７が装着される装着部４０と、前記装着部４０に設けられたコネクタ接続部４１と、前記電源分配ブロック１０のブロック本体部１１に接続された電線の端子金具が嵌入される電気接続部と、を備えている。なお、直下の電気部品ブロック１２が、前記箱本体３と別体で成形されたブロックとされ、前記箱本体３に組み付けるように形成されていても良い。
【００４８】
リレーユニット７は、絶縁性の合成樹脂で形成されている。リレーユニット７は、直方体状の箱状に形成されている。リレーユニット７の上面には、電気部品としての図示しないヒューズが装着されるヒューズ装着部１３が設けられている。リレーユニット７の下面には、前記電源分配ブロック１０のブロック本体部１１に接続された電線の端末に設けられたコネクタが嵌合されるコネクタ嵌合部が設けられている。
【００４９】
リレーユニット７内には、回路を構成するバスバまたはプリント回路基板が設けられている。
【００５０】
ヒューズ装着部１３は、長手方向Ｙに沿って等間隔で複数（図示例では、４つ）設けられている。ヒューズ装着部１３には、該ヒューズ装着部１３にヒューズが装着された際に、回路を構成する前記バスバまたは前記プリント回路基板が前記ヒューズに電気的に接続されるように配されている。
【００５１】
コネクタ嵌合部には、該コネクタ嵌合部に前記電源分配ブロック１０のブロック本体部１１に接続された電線のコネクタが嵌合された際に、回路を構成する前記バスバまたは前記プリント回路基板が前記コネクタに電気的に接続されるように配されている。
【００５２】
リレーユニット７内に設けられ、回路を構成する前記バスバまたは前記プリント回路基板は、前記複数個のリレーと、前記ヒューズ装着部１３に装着されたリレーと、前記コネクタ嵌合部に嵌合されたコネクタとを、予め定められたパターンにしたがって電気的に接続している。
【００５３】
リレー１６，１７は、前記直下の電気部品ブロック１２の上面の装着部４０に設けられている。リレー１６，１７は、互いに放熱できる間隔をあけて設けられている。リレー１６は、前記本体部３の隅部に設けられている。リレー１７は、長手方向Ｙに等間隔をあけて二列で設けられている。
【００５４】
装着部４０は、前記直下の電気部品ブロック１２の上面に設けられている。装着部４０は、装着されるリレーユニット７が嵌め込まれる取付穴と、リレー１６，１７が嵌入される嵌入部と、を備えている。取付穴は、リレーユニット７の外形に沿って長方形状に開孔されて形成されている。嵌入部は、リレー１６，１７の端子部の外形に沿って形成され該端子部が嵌入されるように形成されている。
【００５５】
コネクタ接続部４１は、所謂雌型コネクタとして形成されている。コネクタ接続部４１には、前記コネクタ３６の雌型端子金具と電気的に接続される雄型端子金具が設けられている。雄型端子金具には、前記電源分配ブロック１０のブロック本体部１１に接続される電線の端末が接続されている。
【００５６】
コネクタ接続部４１は、図２に示すように、前記延長壁４４に前記上段の電気部品ブロック８が取り付けられた際に、前記上段の電気部品ブロック８に重ならないように設けられている。このため、コネクタ接続部４１へのアクセスが容易となり、コネクタ３６をコネクタ接続部４１に接続する際の作業性が向上する。
【００５７】
電気接続部は、前記直下の電気部品ブロック１２の下面に設けられている。電気接続部は、前記電源分配ブロック１０のブロック本体部１１に接続される電線の端末の端子金具が嵌入可能に形成されている。このため、電気接続部に嵌入された端子金具が、前記装着部４０に装着されたリレー１６，１７の端子部と電気的に接続される。
【００５８】
アッパカバー４は、絶縁性の樹脂で形成され、周知の射出成形によって形成されている。アッパカバー４は、図１に示すように、互いに連なる複数の外壁を備え、上部が閉止された有底枠状に形成されている。アッパカバー４には、前記本体部３の係合部６３に係合されるとともに係合解除可能に形成されたレバー５２が設けられている。アッパカバー４は、前記本体部３の上面を覆う状態で、該本体部３に取り付けられる。
【００５９】
サイドカバー５は、絶縁性の樹脂で形成され、周知の射出成形によって形成されている。サイドカバー５は、互いに連なる複数の外壁を備え、一方の側面が開放されて形成されている。サイドカバー５には、前記本体部３の係合突起６２が係合される係合部５５が設けられている。サイドカバー５は、前記本体部３の側面を覆う状態で、該本体部３に取り付けられる。
【００６０】
ロアカバー６は、絶縁性の樹脂で形成され、周知の射出成形によって形成されている。ロアカバー６は、互いに連なる複数の外壁を備え、下部が閉止された有底枠状に形成されている。ロアカバー６には、前記本体部３の係合部６１に係合される係合突起５８が設けられている。ロアカバー６は、前記本体部３の下面を覆う状態で、該本体部３に取り付けられる。
【００６１】
前述の如く構成された電気接続箱１は、電源分配ブロック１０の予め定められたパターンにしたがって、直下の電気部品ブロック１２、上段の電気部品ブロック８、および、各種の電気機器などに電力を供給する。
【００６２】
また、電気接続箱１は、図３に示すように、直下の電気部品ブロック１２の装着部４０に、上段の電気部品ブロック８の電線３４のコネクタ３６が接続されるコネクタ接続部４１を設けているため、直下の電気部品ブロック１２の装着部４０にリレー１６，１７を装着した後に、上段の電気部品ブロック８を延長壁４４に取り付けることができる。よって、箱本体２に電気部品や電気部品ブロックを組み付ける組み付け作業の作業性が向上する。
【００６３】
本実施形態によれば、電気接続箱１は、互いに連なる外壁で枠状に形成された箱本体２と、前記箱本体２の上下方向Ｚに複数段で取り付けられるとともに電気部品が装着される電気部品ブロックと、前記箱本体に取り付けられるとともに電源からの電力を分配する電源分配ブロック１０と、を備えており、上段の電気部品ブロック８には、前記上段の電気部品ブロック８の上面に電気部品が装着される装着部３２が設けられているとともに、前記上段の電気部品ブロック８の下面に電線３４が接続される電線接続部３３が設けられ、前記電線３４の端末には、コネクタ３６が設けられ、かつ、前記上段の電気部品ブロック８の直下の電気部品ブロック１２の上面には、電気部品が装着される装着部４０と、前記コネクタ３６が接続されるコネクタ接続部４１と、が設けられている。
【００６４】
このため、電気接続箱１は、上段の電気部品ブロック８の下面に、端末にコネクタ３６が設けられた電線３４を接続する電線接続部３３を設けるとともに、前記上段の電気部品ブロック８の直下の電気部品ブロック１２の上面に、前記コネクタ３６が接続されるコネクタ接続部４１を設けているので、前記直下の電気部品ブロック１２を箱本体２に組み付けた後に、前記上段の電気部品ブロック８の前記コネクタ３６を前記コネクタ接続部４１に接続して組み付けることができる。したがって、電気部品ブロック８，１２を箱本体２に組み付ける組み付け作業の作業性が良好となる。
【００６５】
また、電気接続箱１は、上段の電気部品ブロック８の下面に、端末にコネクタ３６が設けられた電線３４を接続する電線接続部３３を設けるとともに、前記上段の電気部品ブロック８の直下の電気部品ブロック１２の上面に、前記コネクタ３６が接続されるコネクタ接続部４１を設けたため、上段の電気部品ブロック８の電線３４のコネクタ３６を直下の電気部品ブロック１２のコネクタ接続部４１に接続するだけで、電線３４の接続が完了する。このため、電線３４を引き回すための電線通路が不要となり、箱本体２の構造を単純化することができる。
【００６６】
また、本実施形態によれば、電気接続箱１は、前記箱本体２には、前記外壁が上方に延長されて形成された延長壁４４が設けられ、かつ、前記延長壁４４には、前記上段の電気部品ブロック８が取り付けられる取付部４５が設けられている。
【００６７】
このため、電気接続箱１は、箱本体２の外壁を上方に延長して延長壁４４を設け、該延長壁４４に、上段の電気部品ブロック８が取り付けられる取付部４５を設けているので、上段の電気部品ブロック８が取り付けられる延長壁４４を小型化できる。したがって、電気接続箱１をより小型化することができる。
【００６８】
また、本実施形態によれば、電気接続箱１は、前記コネクタ接続部４１が、前記上段の電気部品ブロック８に重ならない位置に設けられているため、コネクタ接続部４１へのアクセスが容易となる。したがって、コネクタ３６をコネクタ接続部４１に接続する作業の作業性が向上する。
【００６９】
また、電気接続箱１は、前記コネクタ接続部４１が、前記上段の電気部品ブロック８に重ならない位置に設けられているため、上段の電気部品ブロック８と直下の電気部品ブロック１２とにコネクタ３６が挟まれて電線３４が屈曲することを防止できる。
【００７０】
また、本実施形態によれば、電気接続箱１は、前記取付部４５が、前記上段の電気部品ブロック８を案内する案内部４６と、前記上段の電気部品ブロック８と係合する係合部４７と、を備えているため、上段の電気部品ブロック８を取付部４５に取り付ける際に、前記上段の電気部品ブロック８が円滑に取付部４５に取り付けられるとともに、前記取付部４５に前記上段の電気部品ブロック８が係合されて固定される。したがって、上段の電気部品ブロック８の取り付けを簡単な操作で容易に行うことができる。
【００７１】
なお、成就した実施形態では、電気部品ブロックが上下に二段で配置された電気接続箱について説明したが、上段の電気部品ブロック８にコネクタ３６を備えた電線３４を設けるとともに、直下の電気部品ブロック１２の装着部４０に前記コネクタ３６が接続されるコネクタ接続部４１を設けているものであればよいので、上段の電気部品ブロック８および直下の電気部品ブロック１２の他に電気部品ブロックを上下方向Ｚに設けて複数段としても良い。
【００７２】
また、電気部品ブロックは、電気部品が装着されるブロックであったり、電気部品が内部に収容されるユニットであったり、それらの複合体であったり、複数のブロックを組み合わせて形成されたブロックであったりしても良い。
【００７３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７４】
１  電気接続箱
２  箱本体
８  上段の電気部品ブロック
１０  電源分配ブロック
１２  直下の電気部品ブロック
３１  ブロック本体部
３２  装着部
３３  電線接続部
３４  電線
３６  コネクタ
４０  装着部
４１  コネクタ接続部
４４  延長壁
４５  取付部
４６  一対の案内部
４７  係合部
Ｘ  短手方向
Ｙ  長手方向
Ｚ  上下方向
【図１】
0005800628.tif 000002
【図２】
0005800628.tif 000003
【図３】
0005800628.tif 000004